(57)【特許請求の範囲】
【請求項１】
所定の回転軸線上にて互いに回転可能に連結された一対のドアクローザ部品の一方と一対のセレーションを介して連結されるストッパ部材と、ドアの開度が所定角度に達したときに前記ストッパ部材と係合して前記ドアの閉方向の移動を阻止する手段とを備えたドアクローザのストップ装置において、
ストッパ部材の下方において上下に移動可能に配置されたストッパ部材押えと、該ストッパ部材押えの下方に配置されてストッパ部材押えの上下の移動を介して一対のセレーションの噛み合い及びその解除を行うべく操作されるカム部材と、ストッパ部材押えとカム部材との間に配置された弾性部材とを備え、
カム部材は、一対のセレーションを噛み合わせる際にストッパ部材押えに当接してストッパ部材押えを押し上げる外カム面と、弾性部材を変形させる内カム面とを有していることを特徴とするドアクローザのストップ装置。
【発明の詳細な説明】
【０００１】
【発明の属する技術分野】
本発明は、ドアを開放状態で保持するためのドアクローザのストップ装置に関する。
【０００２】
【従来の技術】
この種のストップ装置として、実公平１−３０５２６号公報には、ドアクローザのメインアームとリンクとの連結点に停止カムを介装し、その停止カムとメインアームとを一対のセレーションを介して連結して両者をリンクに対し一体回転可能に設けるとともに、リンクの内部にはドアが所定角度まで開いたときに停止カムと係合してドアの閉方向への復帰を阻止する機構（例えばコイルばねを利用して鋼球を停止カムの外周面に押し付ける機構）を内蔵させたものがある。この装置によれば、一対のセレーションを締め付けるためのボルトを緩め操作してメインアームに対する停止カムの取付角度を変化させることにより、ドアの停止位置を調整できる。
【０００３】
【発明が解決しようとする課題】
従来の装置は一対のセレーションの山同士が当接して両者が全く噛み合っていない状態、あるいは両者が不完全に噛み合っている状態でもボルトを締め付けることができ、しかもセレーション同士の噛み合い状態を外部から視認できないため、正しい噛み合いが得られないままで作業者が作業を完了するおそれがある。この状態でドアが開閉されると、セレーションの山同士が滑って係合がずれたり、セレーションの山が削り取られるおそれがあり、山同士の衝突によって衝撃音が生じることもある。セレーションの噛み合いが不完全なままドアの開閉が繰り返されると、セレーション同士の滑りが繰り返されてセレーションが摩耗するおそれもある。一旦摩耗すれば再度の組付けすらできず、部品交換を余儀なくされる。ドアクローザはドアの上部に装着されるため、一旦組付けた後にボルトを操作してドアの停止位置を調整することは面倒である。
【０００４】
本発明は、ドアの開放時の停止位置の調整を容易に行うことができ、セレーションの噛み合い不良も防止できるドアクローザのストップ装置を提供することを目的とする。
【０００５】
【課題を解決するための手段】
以下、本発明の実施形態を示す図面に対応付けて本発明を説明する。但し、本発明は図示の形態に限定されない。
【０００６】
請求項１の発明は、所定の回転軸線上にて互いに回転可能に連結された一対のドアクローザ部品（１、２）の一方（１）と一対のセレーション（８ａ、９ａ）を介して連結されるストッパ部材（９）と、ドアの開度が所定角度に達したときに前記ストッパ部材（９）と係合して前記ドアの閉方向の移動を阻止する手段（３、４、５）とを備えたドアクローザのストップ装置において、ストッパ部材（９）の下方において上下に移動可能に配置されたストッパ部材押え（１０）と、該ストッパ部材押え（１０）の下方に配置されてストッパ部材押え（１０）の上下の移動を介して一対のセレーション（８ａ、９ａ）の噛み合い及びその解除を行うべく操作されるカム部材（１３）と、ストッパ部材押え（１０）とカム部材（１３）との間に配置された弾性部材（１１）とを備え、カム部材（１３）は、一対のセレーション（８ａ、９ａ）を噛み合わせる際にストッパ部材押え（１０）に当接してストッパ部材押え（１０）を押し上げる外カム面（１３ｂ）と、弾性部材（１１）を変形させる内カム面（１３ａ）とを有していることによって上述した課題を解決する。
【０００９】
【発明の実施の形態】
図１は本発明の第１実施形態のストップ装置が組み込まれたドアクローザの全体を示す図である。このドアクローザは、ドアＤの上部に装着されるドアクローザ本体１８と、ドアＤの周囲に設けられたドア枠Ｆの上枠Ｆｕに下方から固定されるブラケット１とを有している。ブラケット１には角筒状のストップリンク２の一端が回動自在に連結される。ストップリンク２の他端側にはリンク１６が螺動可能に装着され、そのリンク１６の先端はアーム１７の一端と回動自在に連結される。アーム１７の他端はドアクローザ本体１８の回転軸に連結される。
【００１０】
図２はストップリンク２とブラケット１との連結部を斜め下方からみた状態を、図３及び図４は前記連結部の内部構造を、図５は前記連結部分の分解状態をそれぞれ示している。これらの図に示すように、ストップリンク２の内部にはスチールボール３、ボール受け部材４及びコイルばね５が挿入される。コイルばね５は止めねじ６にて圧縮され、その反発力によりボール受け部材４及びスチールボール３がブラケット１側に付勢される。ストップリンク２のブラケット１との連結端にはスリット２ａが設けられ、そのスリット２ａに開口する貫通孔７、７にはセレーション軸８及びカム押え１０がそれぞれ装着される。セレーション軸８はその上端においてブラケット１に固定される。カム押え１０は貫通孔７に対して軸線方向に移動可能である。
【００１１】
セレーション軸８の下端部外周にはストッパ部材としての板カム９が回転自在に装着されてカム押え１０により下方から支持されている。この板カム９の外周には上述したスチールボール３が押し付けられる。図６（ａ）及び（ｂ）に示すように、板カム９の外周には、セレーション軸８に対する嵌合孔９ｂと同軸の円弧部９ｃと、その円弧部９ｃの両端から接線方向に延びる一対の直線部９ｄ、９ｄと、それらの直線部９ｄ、９ｄを結ぶ円弧状の嵌合凹部９ｅとが設けられる。また、板カム９の上面にはセレーション９ａが形成される。そして、セレーション軸８には板カム９のセレーション９ａと噛み合うセレーション８ａが形成される。
【００１２】
なお、図６（ａ）及び（ｂ）ではセレーション９ａを嵌合孔９ｂの軸線と直交する平面に沿って形成しているが、これに代えて図６（ｃ）及び（ｄ）に示すように嵌合孔９ｂの軸線を取り囲む円筒面に沿ってセレーション９ａを設けてもよい。あるいは、図６（ｅ）及び（ｆ）に示すように、嵌合孔９ｂの軸線を取り囲む円錐面に沿ってセレーション９ａを設けてもよい。
【００１３】
図３〜図５に示すように、セレーション軸８の中心にはねじ孔８ｂが形成され、そのねじ孔８ｂにはレバー軸１２のねじ部１２ａが螺合する。レバー軸１２の下端部はカム押え１０を貫いて下方に突出する。その突出部分には弾性部材としての皿ばね１１がはめ合わされると共に、カム押え１０及び皿ばね１１を押し上げるカムレバー（カム部材）１３がピン１４を介して回転操作可能に取り付けられる。
【００１４】
レバー軸１２のねじ部１２ａの上端はブラケット１の上方に突出し、その突出部分は調整ナット１５と螺合する。調整ナット１５を回転させその下面をブラケット１の上面と当接させ、レバー軸１２でその上下位置を調整し、調整ナット１５を締め付けることにより固定できる。図２及び図４（ｂ）に詳しく示したように、カムレバー１３には、皿ばね１１に当接する一対の内カム面１３ａ、１３ａと、カム押え１０の下面に当接する一対の外カム面１３ｂ、１３ｂとが設けられる。カムレバー１３、ピン１４、レバー軸１２、調整ナット１５及び皿ばね１１がカム機構を構成し、このカム機構は、セレーション軸８と板カム９との連結状態及び連結解除状態を選択的に保持する保持手段として作用する。
【００１５】
以上の構成においては、カムレバー１３をピン１４の廻りに回転させると、外カム面１３ｂの位相の変化に応じてカム押え１０が上下に移動してセレーション８ａ、９ａの噛み合い及びその解除が切り替わる。
【００１６】
すなわち、カムレバー１３を図７（ｂ）に示す連結位置Ｐonに操作したときはセレーション８ａ、９ａが噛み合ってブラケット１と板カム９とがセレーション軸８を介して連結される。従って、板カム９をセレーション軸８の廻りに回転させることが不可能となる。この状態でドアＤ（図１）が開かれると、ブラケット１に対してストップリンク２が回転し、それ伴ってストップリンク２に内蔵されたスチールボール３が板カム９の外周面上を移動する。そして、ドアＤの開度が所定位置に達した時点でスチールボール３が板カム９の嵌合凹部９ｅと嵌合し、ドアＤの閉方向の復帰が阻止される。
【００１７】
一方、カムレバー１３を図７（ａ）の連結解除位置Ｐoffに移動させると、カム押え１０及び板カム９が図７（ｂ）の位置よりも下方に移動してセレーション８ａ、９ａの噛み合いが外れる。この状態で板カム９をセレーション軸８の廻りに任意の角度回転させ、その後にカムレバー１３を連結位置Ｐonに復帰させ、再度セレーション８ａ、９ａを噛み合わせることにより、ドアＤの停止位置、すなわちスチールボール３と板カム９の嵌合凹部９ｅとが嵌合するときのドアＤの開度を変化させることができる。
【００１８】
カムレバー１３が図７（ａ）の連結解除位置Ｐoffまたは図７（ｂ）の連結位置Ｐonにあるとき、皿ばね１１はカムレバー１３の内カム面１３ａによってカム押え１０側に押し込まれ、それに対する反発力でカムレバー１３がそれぞれの位置Ｐoff、Ｐonに保持される。そして、カムレバー１３を連結解除位置Ｐoffから連結位置Ｐonへ操作する過程でセレーション８ａ、９ａが正しく噛み合う場合には、図７（ｃ）及び（ｄ）に示すように内カム面１３ａの最大リフト点（回転中心から最も遠い点）１３ｃとカムレバー１３の回転中心（ピン１４の軸線）とが上下に並んだときに皿ばね１１が平坦な状態まで押し込まれる。なお、内カム面１３ａの位相と皿ばね１１の変形量との関係は内カム面１３ａと外カム面１３ｂとの位相差により予め調整されている。
【００１９】
一方、カムレバー１３を連結解除位置Ｐoffから連結位置Ｐonへ操作する過程でセレーション８ａ、９ａが正しく噛み合わない場合には、その噛み合いがずれた分だけ板カム９及びカム押え１０が図７（ｃ）のときよりも下方に位置する。従って、図７（ｅ）及び（ｆ）に示すように内カム面１３ａの最大リフト点１３ｃが皿ばね１１に当接するよりも早い時期に外カム面１３ｂがカム押え１０の下面と当接し、それ以上板カム９が上方へ移動不可となることから、それ以上にカムレバー１３を操作することが不可能となる。また、正常な噛み合いが得られる場合と比較してカムレバー１３の回転操作の早い段階で皿ばね１１からより大きな反発力がカムレバー１３に入力されてカムレバー１３が連結解除位置Ｐoffへと押し返される。
【００２０】
このように、第１実施形態ではセレーション８ａ、９ａの噛み合いの良否がカムレバー１３の操作に反映されるから、作業者は容易にセレーション８ａ、９ａの噛み合いの良否を判別でき、噛み合い不良のまま作業を終了するおそれがなく、セレーション８ａ、９ａの欠損や摩耗が防がれる。カムレバー１３を操作するだけで板カム９の位置を調整できるので、ボルトにてセレーションを締め付ける従来の装置と比較してドア停止位置の調整を容易に行うことができ、ボルトの締め付け不足によって装置を破損するおそれもない。カムレバー１３のてこ作用を利用して皿ばね１１及びカム押え１０とカム面１３ａ、１３ｂとの接触位置に大きな力を加えることができるから、カムレバー１３の操作力を軽減して作業をより容易に行えるようになる。
【００２１】
上述した第１実施形態は、種々の変形された形態にて実施できる。例えば、図８に示すようにセレーション軸８とレバー軸１２とを一体に形成して調整ナット１５を省略してもよい。この場合には、部品点数が削減され、組み立ても容易となる。皿ばね１１は、波形ワッシャやスプリングワッシャ等の各種弾性部材に置換可能である。カムレバー１３に代えてレバー軸１２の下端部に回転可能なカム部材を装着し、その皿ばね１１及びカム押え１０との対向面にこれらを上下に変位させるための端面カムを設けてもよい。
【００２２】
次に、本発明の第２実施形態のストップ装置を、図９乃至図１１を参照して説明する。このストップ装置は、下記の点を除き、本発明の第１実施形態のストップ装置と同一である：
▲１▼  カム押え１０の移動を、カム機構によってではなく、カム押え１０を直接的に押し込み、又は、引っ張ることによって行う。
▲２▼  セレーション軸８が、その長さ方向中央部における外周面に周方向に形成されたセレーション８ａを有している。
▲３▼  板カム９が、嵌合孔９ｂを限定する内周面に沿ってセレーション９ａを有しており、このセレーション９を有する嵌合孔９ｂにセレーション８ａを有するセレーション軸８の中央部が嵌合可能である。
▲４▼  セレーション軸８と板カム９との連結状態及び連結解除状態を選択的に保持する保持手段として、セレーション軸８の下部外周にストッパ溝８ｃを形成し、このストッパ溝８ｃに弾発的に係合可能なストッパ１９をカム押え１０に設けている。
【００２３】
第２実施形態において、第１実施形態のストップ装置の構成要素と同一の構成要素に同一の符号を付して、その構造の説明を省略する。
【００２４】
即ち、第２実施形態のストップ装置においては、カム押え１０を押し上げることによって、ストップリンク２及び板カム９をブラケット１側に持ち上げ、このブラケット１に固定されたセレーション軸８のセレーション８ａを板カム９のセレーション９ａに噛み合わせるように構成されている。
【００２５】
従って、カム押え１０は、セレーション軸８に対してその軸線方向に変位可能であるが、これ等両者は、カム押え１０が所定のストロークでセレーション軸８から離れるときに、カム押え１０の脱落を防止するための連結手段（図示せず）を介して相互に連結されている。
【００２６】
この連結手段は、カム押え１０のセレーション軸８に対する相対的な最大変位量を規制するものであれば、その形態は任意であり、例えば、これ等両部材の何れか一方に固定され、何れか他方に摺動可能に取り付けられる、シャフトやボルト等が連結手段として使用される。カム押え１０がストップリンク２に固定される構造を採用した場合には、上述した連結手段は、カム押え１０に連結されることなく、セレーション軸８に対するストップリンク２の移動を可能にし、且つ、ストップリンク２の最下移動位置を規制するように構成され、例えば、セレーション軸８がその軸線方向に移動可能に挿通される、ストップリンク２の孔に臨むように段部を形成し、一方、セレーション軸８に上記段部に係合可能な突起を形成し、これによって、セレーション軸８がストップリンク２から上方に抜け出ないように構成してもよい。
【００２７】
セレーション軸８と板カム９との連結状態及び連結解除状態を選択的に保持する保持手段について以下に詳述する。上述したように、セレーション軸８の下部外周にはストッパ溝８ｃが形成されているが、図１１に示すように、板カム９のセレーション９ａがセレーション軸８のセレーション８ａに噛み合った状態において、ストッパ溝８ｃと向かい合うカム押え１０の部分には、凹部１０ａが形成されている。この凹部１０ａにはストッパ１９が圧縮コイルスプリング２０を介して出没可能に配置されている。
【００２８】
このようにストッパ１９がストッパ溝８ｃに係合することによって、カム押え１０の押し上げ状態が保持され、その結果、セレーション軸８と板カム９との連結状態、即ち、セレーション軸８のセレーション８ａと板カム９のセレーション９ａとの噛み合い状態が保持される。
【００２９】
一方、図１０に示すように、カム押え１０がセレーション軸８に対して下方に移動した状態においては、ストッパ１９は凹部１０ａから外れて、セレーション軸８の下端に当接する。この際、カム押え１０の押し下げ状態が保持され、その結果、セレーション軸８と板カム９との連結解除状態、即ち、セレーション軸８のセレーション８ａと板カム９のセレーション９ａとの噛み合い解除状態が保持される。
【００３０】
次に、上述した第２実施形態のストップ装置の使用方法を以下に説明する。
【００３１】
先ず、セレーション軸８と板カム９とを連結する場合には、カム押え１０を上方に押し上げる。このカム押え１０の押し上げによって、ストップリンク２及び板カム９も上方に押し上げられ、板カム９のセレーション９ａがセレーション軸８のセレーション８ａに噛み合い、更に、ストッパ１９がストッパ溝８ｃに係合することによって、カム押え１０の押し上げ状態が保持される。従って、上述した第１実施形態におけると同様に、板カム９をセレーション軸８の廻りに回転させることが不可能となる。この状態でドアが開かれると、ブラケット１に対してストップリンク２が回転し、それ伴ってストップリンク２に内蔵されたスチールボール３が板カム９の外周面上を移動する。そして、ドアの開度が所定位置に達した時点でスチールボール３が板カム９の嵌合凹部９ｅと嵌合し、ドアの閉方向の復帰が阻止される。
【００３２】
一方、セレーション軸８と板カム９との連結を解除する場合には、カム押え１０を下方に引き下げる。このカム押え１０の引き下げによって、ストップリンク２及び板カム９も下方に引き下げられ、板カム９のセレーション９ａとセレーション軸８のセレーション８ａとの噛み合いが解除され、更に、ストッパ１９がストッパ溝８ｃから外れて、カム押え１０の引き下げ状態が保持される。この状態で板カム９をセレーション軸８の廻りに任意の角度回転させ、その後にカム押え１０を連結位置に復帰させ、再度セレーション８ａ、９ａを噛み合わせることにより、ドアの停止位置、すなわちスチールボール３と板カム９の嵌合凹部９ｅとが嵌合するときのドアの開度を変化させることができる。
【００３３】
上述したカム押え１０の引き下げは、カム押え１０に直接的に触れることなく、ストップリンク２を引き下げることによっても実現される。又、カム押え１０の引き下げを容易にするために、カム押え１０に握り部を形成してもよい。
【００３４】
次に、本発明の第３実施形態のストップ装置を、図１２及び図１３を参照して説明する。このストップ装置は、カム押え１０の移動を、カムレバー１３によってではなく、スライダ２１によって行うことを除き、本発明の第１実施形態のストップ装置と同一である。第３実施形態において、第１実施形態のストップ装置の構成要素と同一の構成要素に同一の符号を付して、その構造の説明を省略する。
【００３５】
即ち、第３実施形態のストップ装置においては、カムレバー１３、ピン１４、レバー軸１２、調整ナット１５及び皿ばね１１から構成される、第１実施形態におけるカム機構を採用することなく、セレーション軸８の下端には、その中心軸線に沿って軸部１０ｃが下方に向けて一体的に形成されている。
【００３６】
上記軸部１０ｃは、カム押え１０を貫通し、その下端面１０ｂから下方に突出した部分には、スライド孔１０ｄがセレーション軸８の軸線と直交する方向に形成されている。このスライド孔１０ｄを限定する軸部１０ｃの内周面の下部は、スライダ２１の後述する第１当接面２１ｂまたは第２当接面２１ｃに当接して、セレーション軸８をその軸線方向に移動させる作用面１０ｅとして働く。
【００３７】
上記スライド孔１０ｄには、スライダ２１がセレーション軸８の軸線と直交する方向に摺動可能に取り付けられている。このスライダ２１は、上面にカム押え１０の下端面１０ｂと接触する平坦面を有しており、一方、下面の両端部に、スライダ２１の摺動位置を規制するための一対の突部２１ａ，２１ａをそれぞれ有している。スライダ２１の下面側において、一対の突部２１ａ，２１ａ間には、第１当接面２１ｂ、第２当接面２１ｃ及びこれ等を連結する傾斜面２１ｄがそれぞれ形成されている。
【００３８】
図１３から明らかなように、スライダ２１の上面から第１当接面２１ｂまでの垂直距離Ｔ１は、スライダ２１の上面から第２当接面２１ｃまでの垂直距離Ｔ２よりも小さい。垂直距離Ｔ２及び垂直距離Ｔ１は、板カム９のセレーション９ａとセレーション軸８のセレーション８ａとの噛み合い及びその解除に必要な移動距離に応じて決定される。セレーション軸８の軸部１０ｃに形成されたスライド孔１０ｄの垂直距離は上述した垂直距離Ｔ２よりも僅かに大きいことは勿論である。
【００３９】
次に、上述した第３実施形態のストップ装置の使用方法を以下に説明する。
【００４０】
先ず、セレーション軸８と板カム９とを連結する場合には、スライダ２１を図１２（ｂ）に示すように矢印Ｂ方向に移動させて、その第２当接面２１ｃをセレーション軸８のスライド孔１０ｄにおける作用面１０ｅに当接させる。これによって、セレーション軸８は下方に押し下げられ、板カム９のセレーション９ａがセレーション軸８のセレーション８ａに噛み合う。従って、上述した第１実施形態におけると同様に、板カム９をセレーション軸８の廻りに回転させることが不可能となる。この状態でドアが開かれると、ブラケット１に対してストップリンク２が回転し、それ伴ってストップリンク２に内蔵されたスチールボール３が板カム９の外周面上を移動する。そして、ドアの開度が所定位置に達した時点でスチールボール３が板カム９の嵌合凹部９ｅと嵌合し、ドアの閉方向の復帰が阻止される。
【００４１】
一方、セレーション軸８と板カム９との連結を解除する場合には、スライダ２１を図１２（ａ）に示すように矢印Ａ方向に移動させて、その第１当接面２１ｂをセレーション軸８のスライド孔１０ｄにおける作用面１０ｅに当接させる。これによって、セレーション軸８は上方に移動し、板カム９のセレーション９ａとセレーション軸８のセレーション８ａとの噛み合いが解除される。この状態で板カム９をセレーション軸８の廻りに任意の角度回転させ、その後にスライダ２１を連結位置に復帰させ、再度セレーション８ａ、９ａを噛み合わせることにより、ドアの停止位置、すなわちスチールボール３と板カム９の嵌合凹部９ｅとが嵌合するときのドアの開度を変化させることができる。
【００４２】
上述したセレーション軸８の上方への移動を確実にするために、ストップリンク２とブラケット１との間において、セレーション軸８に第１実施形態におけると同様の皿ばね等の弾性手段を配置してもよい。この弾性手段は皿ばねに限定されるものではなく、ストップリンク２をブラケット１に対して離間させる作用を有するものであればその形態は任意であり、例えば、コイルばねを使用してもよい。
【００４３】
本発明の上述した第１乃至第３実施形態のストップ装置はブラケット１とストップリンク２との間に限定されず、例えばリンク１６とアーム１７との間、あるいはアーム１７とドアクローザ本体１８との間に設けてもよい。
【００４４】
以上ではドアＤを閉めたときにドアＤとリンク１６やアーム１７とが略平行となるいわゆるパラレルタイプのドアクローザについて説明したが、リンク１６やアーム１７がドアＤに対してほぼ直交するいわゆるスタンダードタイプのドアクローザにも本発明は適用できる。
【００４５】
【発明の効果】
以上に説明したように、本発明によれば、カム部材を操作するだけでセレーション同士の噛み合い状態を変化させてドアの開放時の停止位置を調整でき、ボルトにてセレーションを締め付ける場合と比較してドアの停止位置を容易に調整できる。ドアクローザがドアの上部に取り付けられた後でも簡単に停止位置を調整できる。外部からセレーションの噛み合いの良否を判別できるから、セレーションの噛み合いが不良のままドアの停止位置の調整作業を完了するおそれがなく、作業の信頼性が高まる。
【００４６】
また、弾性部材の力によりカム部材が強制的にその位置に保持されるので、セレーションの噛み合い状態が保持される。
【図面の簡単な説明】
【図１】本発明の第１実施形態のストップ装置が組み込まれたドアクローザの全体構成を示す斜視図。
【図２】図１のドアクローザにおけるブラケットとストップリンクとの連結部を斜め下方からみた斜視図。
【図３】図２の連結部を拡大して示す図。
【図４】図３の連結部の詳細を示す図で、（ａ）は断面図、（ｂ）は（ａ）のIVｂ部の拡大図。
【図５】図３の連結部の分解図。
【図６】図３の連結部に組み込まれたストッパ部材としての板カムの例を示す図で、（ａ）は第１の例の平面図、（ｂ）は第１の例の側面図、（ｃ）は第２の例の平面図、（ｄ）は第２の例の断面図、（ｅ）は第３の例の平面図、（ｆ）は第３の例の側面図。
【図７】図４の連結部の動作状態を示す図。
【図８】図５の変形例を示す図。
【図９】本発明の第２実施形態のストップ装置が組み込まれたドアクローザを部分的に示す図で、（ａ）はセレーション軸と板カムとの噛み合い状態を示す断面図、（ｂ）はセレーション軸と板カムとの噛み合い解除状態を示す断面図。
【図１０】図９に示したストップ装置のセレーション軸と板カムとの噛み合い状態を示す拡大断面図。
【図１１】図９に示したストップ装置のセレーション軸と板カムとの噛み合い解除状態を示す拡大断面図。
【図１２】本発明の第３実施形態のストップ装置が組み込まれたドアクローザを部分的に示す図で、（ａ）はセレーション軸と板カムとの噛み合い解除状態を示す断面図、（ｂ）はセレーション軸と板カムとの噛み合い状態を示す断面図。
【図１３】図１２に示したスライダの斜視図。
【符号の説明】
１  ブラケット
２  ストップリンク
３  スチールボール
４  ボール受け部材
５  コイルばね
８  セレーション軸
８ａ、９ａ  セレーション
９  板カム（ストッパ部材）
１０  カム押え
１１  皿ばね（弾性部材）
１２  レバー軸
１３  カムレバー（カム部材）
１４  ピン
１５  調整ナット
１６  リンク
１７  アーム
１８  ドアクローザ本体
Ｐoff カムレバーの連結解除位置
Ｐon  カムレバーの連結位置
【図１】
0003875035.tif 000002
【図２】
0003875035.tif 000003
【図３】
0003875035.tif 000004
【図４】
0003875035.tif 000005
【図５】
0003875035.tif 000006
【図６】
0003875035.tif 000007
【図７】
0003875035.tif 000008
【図８】
0003875035.tif 000009
【図９】
0003875035.tif 000010
【図１０】
0003875035.tif 000011
【図１１】
0003875035.tif 000012
【図１２】
0003875035.tif 000013
【図１３】
0003875035.tif 000014